(57)【要約】【課題】石油気化式燃焼装置において、定常燃焼への移行後に一旦消火し、再着火した場合、使用したい温度が出湯するまでの時間を短縮できる燃焼装置を提供する。【解決手段】灯油を霧化して燃焼させるロータリーバーナと、前記ロータリーバーナの熱量で水を加熱することによってお湯に変える熱交換器と、前記熱交換器をバイパスした水とを混合させる湯水混合弁と、前記ロータリーバーナの熱量を制御する制御部と、着火時に、予め決められた着火熱量にて一定時間燃焼させ、その要求熱量での燃焼に移行する燃焼手段を備えた石油気化式燃焼装置において、前記制御部は、定常燃焼の後の消火時から再着火までの時間を計時する計時手段を設け、定常燃焼の後の消火時から再着火まで待機時間を決定する緩点火時間設定手段を設け、前記計時手段の計時結果に応じて緩点火時間決定する。【選択図】  図３
2004218959.tif 000002
【特許請求の範囲】
【請求項１】
灯油を霧化して燃焼させるロータリーバーナと、前記ロータリーバーナの熱量で水を加熱することによってお湯に変える熱交換器と、前記熱交換器をバイパスした水とを混合させる湯水混合弁と、前記ロータリーバーナの熱量を制御する制御部と、着火時に、予め決められた着火熱量にて一定時間燃焼させ、その要求熱量での燃焼に移行する燃焼手段を備えた石油気化式燃焼装置において、前記制御部は、定常燃焼の後の消火時から再着火までの時間を計時する計時手段を設け、定常燃焼の後の消火時から再着火まで待機時間を決定する緩点火時間設定手段を設け、前記計時手段の計時結果に応じて緩点火時間決定することを特徴とする石油気化式燃焼装置。
【発明の詳細な説明】
【０００１】
【発明の属する技術分野】
本発明は、灯油を霧化して燃焼させるロータリーバーナと、前記ロータリーバーナの熱量で水を加熱することによってお湯に変える熱交換器と、前記熱交換器をバイパスした水とを混合させる湯水混合弁と、前記ロータリーバーナの熱量を制御する制御部と、着火時に、予め決められた着火熱量にて一定時間燃焼させ、その要求熱量での燃焼に移行する燃焼手段を備えた石油気化式燃焼装置
【０００２】
【従来の技術】
従来の燃焼装置（例えば、ガス給湯機）においては、着火条件が成立すればファン及び比例弁を駆動し、次に元電磁弁を開き、次にイグナイタを動作させるというように燃焼動作を開始し、予め決められた着火熱量（以下、緩点火熱量という）で一定時間（例えば１秒間程度の緩点火時間）燃焼させ、その後要求熱量での燃焼に移行させていた。（例えば特許文献１参照）。
また、定常燃焼中に給湯栓を締めワンストップし再出湯した場合も一定時間（例えば１秒間程度の緩点火時間）燃焼させてから要求熱量にて燃焼させていた。
【０００３】
【特許文献１】
特開平８−１５２１３０号公報（第２頁、第９図）
【０００４】
【発明が解決しようとする課題】
従来の燃焼装置における緩点火時間を、新たに開発した石油気化式燃焼装置において適用した場合は、燃料受け部に供給された液体燃料は、回転に伴う遠心力によって、隙間から気化筒の内壁に向かって噴出され、さらに燃焼室内に飛散される。この飛散された液体燃料は、燃焼室内に延びるイグナイタの火花によって着火され噴霧燃焼を行い、この噴霧燃焼で気化筒を加熱することで当該気化筒内に供給される液体燃料を気化し、当該気化筒に形成された炎口から噴霧させて気化燃焼を行う。その構造上、要求熱量が緩点火熱量よりも低い時、かつ熱交換器が高温の時に着火させると、熱交換器温度が着火後一定温度（例えば９５℃）を超えてから消火させた時、熱交換器温度が１００℃を超え突沸する恐れがある為、緩点火時間内の燃焼を安定させる為に従来の燃焼装置の１秒間程度に比べて５秒程度に長くする必要がある。また定常燃焼時に給湯栓を締め、ワンストップし再出湯した場合も緩点火熱量にて５秒間程燃焼させてから要求熱量に移行させている。
従って、本発明の目的は、石油気化式燃焼装置において、定常燃焼時に給湯栓を締め、ワンストップし再出湯した場合、ある一定時間内のワンストップ時間であれば再出湯しても緩点火時間を経由せずに要求熱量に移行させることで使用したい温度が出湯するまでの時間を短縮できる燃焼装置を提供する事にある。
【０００５】
【課題を解決するための手段及びその作用・効果】
上記目標を達成するために請求項１は、灯油を霧化して燃焼させるロータリーバーナと、前記ロータリーバーナの熱量で水を加熱することによってお湯に変える熱交換器と、前記ロータリーバーナの燃焼を制御する制御部とを備えた石油気化式燃焼装置において、前記制御部は、定常燃焼の後の消火時から再着火までの時間を計時する計時手段を設け、定常燃焼の後の消火時から再着火まで待機時間を決定する緩点火時間設定手段を設け、前記計時手段の計時結果に応じて緩点火時間決定手段を備えたので、再着火してもある一定時間内であれば短時間で使用したい出湯温度が使える。
【０００６】
【発明の実施の形態】
以下、本発明の実施の形態を、図面により詳細に説明する。
図１は、本発明の一実施形態に係る石油気化式燃焼装置の構成図である。
上記石油気化式燃焼装置は、図示のように、バーナ１と、給水源から燃焼装置本体１に水を供給するための給水管１０と、熱交換器９で加熱された水を給湯栓（図示しない）に供給するための給湯管１１で構成されている。
また、給水管１０には、給水源からの水の温度を検出する給水温度センサ１２、及び水の量を検出する水量センサ１３を備え、給湯管１１には給湯栓（図示しない）からの出湯温度を検出する出湯温度センサ１４が備えられている。
また、バーナ１は、灯油等の燃料が燃焼する燃焼室１８を内部に形成する燃焼盤４と、この燃焼盤４内の略中央に設けられた気化筒２とを備えている。
さらに、気化筒２はモータ（図示しない）に接続された回転軸５が接合され、回転する構造となっているとともに、気化筒２の下端と燃焼盤４との間には、微細な隙間Ｓ１が形成されている。
また、気化筒２と微細な隙間Ｓ２を隔てて固定され、気化筒２とともに回転する燃料拡散体３を備え、燃料拡散体３の下部には、送油ポンプ（図示しない）から燃料供給管６を介して送られてくる灯油等の液体燃料を受け取る燃料受け部１９が備えられている。
さらには、着火させるためのイグナイター７及び着火を検出するためのフレームロッド８が設けられている。
【０００７】
以上の構成により、水量センサ１３にて給湯栓が開かれたことを検出すると、気化筒２及び燃料拡散体３が回転するとともに、燃料拡散体３の下部に設けられた燃料受け部１９に液体燃料が供給され、図示しないファンも回転し、着火動作に移行する。
燃料受け部１９に供給された液体燃料は、回転に伴う遠心力によって、前記隙間Ｓ２から気化筒２の内壁に向かって噴出され、さらに、前記隙間Ｓ１から燃焼室１８内に飛散される。この飛散された液体燃料は、燃焼室１８内に延びるイグナイター７の火花によって着火され、噴霧燃焼が開始される。
噴霧燃焼が開始されると、その燃焼熱によって気化筒２が加熱され、気化筒２の内壁に噴出された液体燃料が気化する。そして、当該気化した燃料は、気化筒２内部に供給された空気と混合して混合気となり、燃焼盤４の各炎口２０から燃焼室１８内に噴出される。そして、既に発生している噴霧燃焼の火炎１６により、図２に示すように炎口２０から気化燃焼の火炎１７を発生させて気化燃焼が行われる。
従って、気化燃焼に移行させるために噴霧燃焼を安定させる必要があり、緩点火時間を従来の燃焼装置の１秒間程度に比べて５秒間程度に長くする必要がある。
【０００８】
図３は本発明の一実施形態に係る制御フローチャート図である。
まず、ステップＳ１にて、給湯栓を閉めてから再び開くまでの給湯停止時間が予め決められた所定時間（例えば、３０秒間）未満か否かの判断を行い、給湯停止時間が所定時間未満であると判断すると、ステップＳ２で、緩点火時間を第２の緩点火時間（例えば、１秒間）として燃焼制御を行う。
ステップＳ１にて、給湯停止時間が所定時間以上であると判断すると、ステップＳ３で、緩点火時間を第１の緩点火時間（例えば、５秒間）として燃焼制御を行う。
なお、第２の緩点火時間は、第１の緩点火時間よりも短いものとする。
【０００９】
図４は、本発明の燃焼制御方法を石油気化式燃焼装置に適用した場合の燃焼シーケンスを示した図である。
給湯栓を開くと、通常は、前回お湯を使用してからかなりの時間が経過しているため、第１の緩点火時間ｔ１で燃焼制御が行われる。
そして、定常燃焼への移行後、例えば、シャワー使用時においてよく行われるように、一旦、給湯栓を閉めて、比較的早く、給湯栓を開いてお湯の使用を再開した場合は、第２の緩点火時間ｔ２にて燃焼制御が行われるため、短時間で使用したい出湯温度が使えるようになる。
これは、燃焼が停止した後、３０秒間程度であれば、まだ、気化筒が温まっているため、噴霧燃焼が早く安定することによる。
【図面の簡単な説明】
【図１】本発明の一実施形態に係る石油気化式燃焼装置の構成図
【図２】本発明の一実施形態に係る石油気化式燃焼装置における定常燃焼移行後のバーナの状態を示した図
【図３】本発明の一実施形態に係る制御フローチャート
【図４】本発明の燃焼制御方法を石油気化式燃焼装置に適用した場合の燃焼シーケンスを示した図
【図５】従来の燃焼装置（ガス給湯器）の点火シーケンスを示した図
【符号の説明】
１…バーナ
２…気化筒
３…燃料拡散体
４…燃焼盤
５…回転軸
６…燃料供給管
７…イグナイター
８…フレームロッド
９…熱交換器
１０…給水管
１１…給湯管
１２…給水温度センサ
１３…水量センサ
１４…出湯温度センサ
１５…粒状の燃料
１６…噴霧燃焼の火炎
１７…気化燃焼の火炎
１８…燃焼室
１９…燃料受け部
２０…炎口
【図１】
2004218959.tif 000003
【図２】
2004218959.tif 000004
【図３】
2004218959.tif 000005
【図４】
2004218959.tif 000006
【図５】
2004218959.tif 000007